(57)【要約】      （修正有）【課題】文字などの記載部分の耐久性が高いラベルの作成具を提供する。【解決手段】ラベルの作成具１に、非吸収面をなす被記載面に対して剥離可能で且つ非吸収であるインクを内蔵する筆記具を利用し、筆記具によって、容器２に設けられた被記載面９ａに文字などを記載する。被記載面はインクを吸収しない面として形成され、インクの剥離作用によって記載された文字などは、被記載面上で浮き上がった状態になる。容器２内に収容された粘着テープ３は、被記載面に対するインクの付着力より強い粘着力で、粘着テープ３の引き出し部分３ａを上から擦ることで、粘着テープ３の引き出し部分３ａの裏面側の粘着面にインクが転写され、粘着テープ３の引き出し部分３ａを被記載面９ａから剥がすと、粘着テープ３は透明であり、インクで書かれた文字などを透かして上から視認するができ、引き出し部分３ａを粘着部材の本体部３ｂから切り離し、ラベルＢが完成する。【選択図】図１
2014134734.tif 000002
【特許請求の範囲】
【請求項１】
所望の文字などが記載されたラベルの作成具において、
非吸収面として文字などが記載可能である被記載面を有すると共に、前記被記載面に対して剥離可能で且つ非吸収であるインクでの記載を可能にする容器と、
前記容器内に収容されると共に、前記被記載面上に貼着可能であり、前記被記載面に対する前記インクの付着力より強い粘着力を少なくとも一方面に有する透明な粘着部材と、
を備えたことを特徴とするラベルの作成具。
【請求項２】
前記粘着部材は、ロール状に巻かれた粘着テープであり、
前記容器は、
前記粘着テープの巻き芯を回転自在に支持する軸部と、
前記容器の外面に配置されると共に、前記容器内から引き出された前記粘着テープの引き出し部分の粘着面を粘着させる前記被記載面と、を備えたことを特徴とする請求項１記載のラベルの作成具。
【請求項３】
前記容器は、
前記軸部の軸線に対して直交する方向に延在する平行な一対の側壁と、
前記側壁間に配置された周壁と、を備え、
前記周壁には、前記粘着テープを引き出すためのテープ排出口が設けられ、前記周壁の外面には、前記被記載面が配置され、前記周壁には、前記被記載面と前記テープ排出口との間にカッター部が設けられていることを特徴とする請求項２記載のラベルの作成具。
【請求項４】
前記周壁には、前記テープ排出口と前記カッター部との間に凸状のテープ固定部が設けられていることを特徴とする請求項３記載のラベルの作成具。
【発明の詳細な説明】
【技術分野】
【０００１】
本発明は、ファイルの背表紙、文具などの名前書き、宛名書きなどに利用されるラベルの作成具に関するものである。
【背景技術】
【０００２】
従来、このような分野の技術として、特開平１０−２９１７１９号公報がある。この公報に記載されたラベルの作成具は、ケース内に設けられたリールによってテープが回転自在に支持され、ケースには、リールから離れた位置にカッター部が設けられている。そして、ケースの上面には、リールとカッター部との間に仮接着部が配置され、この仮接着部には、テープから引き出された部分がテープの粘着部によって仮接着される。このような状態で、仮接着部上に配置されたテープの表面に油性マーカー等で文字や図形等を記載し、記載後に仮接着部からテープを剥がし、テープを記載分だけ引き出してカッター部でテープをカットする。このようにして、所望のラベルを簡単に作り出すことができる。また、このようなラベルの作成具を利用しないものとして、粘着台紙の上に字を書いたり、字が消えないようにするために、台紙の上に防水シートを貼るようになったもの等がある。ラベルの利用形態としては、ＣＤやＤＶＤのタイトル、文具や什器への名前書き、郵便や小包の宛名書きなど、直接書く事が難しいものや、好ましくないものなど様々である。
【先行技術文献】
【特許文献】
【０００３】
【特許文献１】特開平１０−２９１７１９号公報
【発明の概要】
【発明が解決しようとする課題】
【０００４】
しかしながら、前述した従来のラベルの作成具を利用すると、テープの表面に文字などを記載したラベルを容易に製作することはできるが、文字などがラベルの表面に記載されているので、耐水性はあるが、擦れにより文字などの記載部分が消え易く、記載部分の耐久性が乏しくなるといった問題点がある。
【０００５】
本発明は、文字などの記載部分の耐久性が高いラベルの作成具を提供することを目的とする。
【課題を解決するための手段】
【０００６】
本発明は、所望の文字などが記載されたラベルの作成具において、
非吸収面として文字などが記載可能である被記載面を有すると共に、被記載面に対して剥離可能で且つ非吸収であるインクでの記載を可能にする容器と、
容器内に収容されると共に、被記載面上に貼着可能であり、被記載面に対するインクの付着力より強い粘着力を少なくとも一方面に有する透明な粘着部材と、
を備えたことを特徴とする。
【０００７】
このラベルの作成具においては、非吸収面をなす被記載面に対して剥離可能で且つ非吸収であるインクを内蔵する筆記具又はこのようなインクの付着が可能なスタンプなどを利用し、筆記具又はスタンプなどによって容器に設けられた被記載面に文字などを記載する。被記載面はインクを吸収しない面として形成されているので、インクの剥離作用によって、記載された文字などは、被記載面上で浮き上がったような状態になっている。その後、容器から外に排出された粘着部材の一部又は全部を被記載面上に貼り付ける。このとき、粘着部材は、被記載面に対するインクの付着力より強い粘着力をもっているので、粘着部材を上から擦ることで、粘着部材の粘着面にインクが転写される。そして、粘着部材を被記載面から剥がすと、粘着部材は透明であるがゆえに、インクで書かれた文字などを透かして上から視認することができ、このように作成されたラベルは、粘着部材自体の粘着力を利用して文具や什器に貼ることができる。そして、文字などは、粘着部材の裏に記載されることになるので、擦れによって文字などの記載部分が消え難く、よって、記載部分の耐久性を高めることができる。さらに、粘着部材は容器内に収容されているので、ラベルの作成具は、携帯性に優れ、粘着部材の汚れや傷付きを防止する。
【０００８】
また、粘着部材は、ロール状に巻かれた粘着テープであり、容器は、粘着テープの巻き芯を回転自在に支持する軸部と、容器の外面に配置されると共に、容器内から引き出された粘着テープの引き出し部分の粘着面を粘着させる被記載面と、を備える。
このように、粘着部材としてロール状に巻かれた粘着テープを利用しているので、簡便なラベル作成具として適しており、短時間でラベルを作成することができ、効率良くラベルを作成することができる。
【０００９】
また、容器は、軸部の軸線に対して直交する方向に延在する平行な一対の側壁と、側壁間に配置された周壁と、を備え、周壁には、粘着テープを引き出すためのテープ排出口が設けられ、周壁の外面には、被記載面が配置され、周壁には、被記載面とテープ排出口との間にカッター部が設けられている。
このような構成を採用すると、容器を薄型にすることができ、しかも、カッター部を採用することで、ハサミ無しでもラベルを製作することができ、簡便なラベル作成具と最適である。
【００１０】
また、周壁には、テープ排出口とカッター部との間に凸状のテープ固定部が設けられている。
このような構成を採用すると、ラベル作成後に、粘着テープの先頭がテープ固定部に貼り付くので、粘着テープの先頭が巻き戻されてしまって、利用者が、粘着テープの先頭を見つけ出す手間を無くすことができる。
【発明の効果】
【００１１】
本発明によれば、文字などの記載部分の耐久性が高いラベルを作成することができる。
【図面の簡単な説明】
【００１２】
【図１】本発明に係るラベルの作成具の第１の実施形態を示す断面図である。
【図２】（ａ）及び（ｂ）は、ラベル作成手順を示す斜視図である。
【図３】（ｃ）及び（ｄ）は、ラベル作成手順を示す斜視図であり、（ｅ）は、ラベルの作成具によって製作されたラベルを示す正面図である。
【図４】本発明に係るラベルの作成具の第２の実施形態を示す断面図である。
【図５】本発明に係るラベルの作成具の第３の実施形態を示す断面図である。
【発明を実施するための形態】
【００１３】
以下、図面を参照しつつ本発明に係るラベルの作成具の好適な実施形態について詳細に説明する。
【００１４】
図１に示されるように、ラベルの作成具１は、樹脂又は金属製の容器２を有し、この容器２には、ロール状に巻かれた粘着テープ（粘着部材）３が所定長さだけ引き出し可能なように回転自在に収容されている。この粘着テープ３の本体部３ｂは、巻き芯４に巻かれている。
【００１５】
容器２は、粘着テープ３の巻き芯４を回転自在に支持する軸部５の軸線Ｌに対して直交方向に延在する平行で且つ矩形に形成された一対の側壁６ａ，６ｂと、側壁６ａ，６ｂ間で側壁６ａ，６ｂの縁に沿って延在する断面矩形の周壁７と、を備えている。一方の側壁６ａには、円筒状の軸部５と周壁７とが固定され、他方の側壁６ｂは、粘着テープ３の交換を可能にするために、爪（不図示）により引掛けられることで周壁７に対して着脱自在になっている。すなわち、側壁６ｂは容器２の蓋として機能している。
【００１６】
周壁７には、粘着テープ３を引き出すためのテープ排出口８が設けられ、周壁７の外面には、被記載面９ａが配置され、周壁７には、被記載面９ａとテープ排出口８との間に鋸刃状のカッター部１０が設けられている。テープ排出口８は、指が入る程度の大きさを有し、各側壁６ａ，６ｂに形成された円弧状の切欠き部８ａ，８ｂと周壁７に形成された切欠き部８ｃとで構成されている。
【００１７】
周壁７の外面には、テープ状の被記載部材９が強固に貼り付けられている。この被記載部材９の表面をなす被記載面９ａは、粘着テープ３の本体部３ｂの上方に位置し、この被記載面９ａには、容器２内から引き出された粘着テープ３の引き出し部分３ａの粘着面が貼られる。
【００１８】
被記載面９ａは、記載具の一例である筆記具Ａ（図２(ａ)参照）により筆記可能である。筆記具Ａに利用されるインクは、非吸収面をなす被記載面９ａから剥離可能な成分を有している。筆記具Ａの好適な具体例としては、いわゆるボードマーカーが挙げられる。ボードマーカーのインクは、一般的には溶剤(主にアルコール) と顔料と樹脂と剥離剤とを主成分とし、均質な状態で混ざり合っている。また、被記載面９ａは、インクを吸収しない素材からなる。被記載部材９としては、例えば、フィルム状又はシート状のホワイトボードがある。また、被記載部材９の他の素材として、金属、プラスチック、ガラス等及びこれらをコーティングした表面を持つものなどがある。
【００１９】
例えば一般的なボードマーカーを用いた場合には、被記載面９ａにインクで文字などを記載すると、被記載面９ａ上のインクの溶剤が揮発を開始し、溶剤が揮発して飛んでしまうと、樹脂が顔料分をつなぐバインダーの役割を果たし、顔料の皮膜を形成する。その時、皮膜は被記載面９ａから浮き上がり、剥離剤だけが被記載面９ａに付着している状態になる。
【００２０】
また、粘着テープ３の裏面の粘着面は、被記載面９ａ上に貼着可能であると共に、被記載面９ａに対するインクの付着力より強い粘着力をもっている。従って、被記載面９ａに書かれた文字などが剥離可能な状態であるので、粘着テープ３（引き出し部分３ａ）を被記載面９ａに貼着すると、粘着テープ３の裏面の粘着面に文字が乗り移り、粘着テープ３の裏面の粘着剤によりインクの文字が転写される。記載された文字の状態や粘着テープ３の貼着の状態によっては、指などで粘着テープ３の引き出し部分３ａの表面を擦ると、より転写状態が改善される（上記については、図２（ａ）、図２（ｂ）、図３（ｃ）、図３（ｄ）参照）。また、被記載面９ａには、粘着テープ３の幅より一回り小さなサイズの記載枠が描かれていてもよい。なお、粘着テープ３は透明であり、この場合の透明とは、被記載面９ａに記載された文字等が転写された際に転写面の反対側から視認可能な程度のものを含み、略完全な透明以外に半透明をも含む。
【００２１】
更に、容器２にはポケット部１２が設けられ、このポケット部１２には、被記載面９ａのインク汚れを拭き取るためのイレーザー１５が収容される。このイレーザー１５は、手で握ることができる把持部１１ａ並びにこの把持部１１ａの端部に設けられたヘッド部１１ｂを有するイレーザー本体部１１と、ヘッド部１１ｂに固定されたインク吸収部１３と、からなり、このインク吸収部１３は、フェルト素材が利用される。
【００２２】
図２(ａ)に示されるように、被記載面９ａ上に筆記具Ａで所望の文字等を記載する。その後、図２(ｂ)に示されるように、粘着テープ３の引き出し部分３ａをテープ排出口８から引き出して、引き出し部分３ａの粘着面を被記載面９ａに貼り付ける。
【００２３】
ここで、転写を確実に行うため、図３(ｃ)に示されるように、指などで粘着テープ３の引き出し部分３ａの表面を上から擦って、被記載面９ａ上に粘着テープ３の引き出し部分３ａをしっかり貼り付けるようにする。その後、図３(ｄ)に示されるように、被記載面９ａ上に貼り付けられた粘着テープ３の引き出し部分３ａを先端側から完全に剥がし、カッター部１０により引き出し部分３ａを本体部３ｂから切り離す。これによって、図３(ｅ)に示されるようなラベルＢが完成する。
【００２４】
「記載具」としては、筆記具Ａの他に非吸収面から剥離可能なインクを用いたスタンプ等を用いることができる。インクの色は、黒、赤に限らず、識別性を高めるために、黄、青、黄緑、白、ピンクなどが可能であり、筆記具Ａは、細芯が好ましいが、太芯であってもよい。
【００２５】
「透明（半透明を含む）な粘着テープ３」としては、例えば、透明なセロハンテープ、半透明なメンディングテープ、半透明なマスキングテープが利用可能。粘着テープ３の色は無色に限らず、識別性を高めるために、赤、黄、青、若葉、黄緑、白、ピンクなどの有色でもよく、柄が入っていてもよい。
【００２６】
前述したラベルの作成具１においては、非吸収面をなす被記載面９ａから剥離可能で且つ非吸収であるインクを内蔵する筆記具Ａ又はこのようなインクの付着が可能なスタンプ（不図示）などを利用し、筆記具Ａ又はスタンプなどによって容器２に設けられた被記載面９ａに文字などを記載する。被記載面９ａはインクを吸収しない面として形成されているので、インクの剥離作用によって、記載された文字などは、被記載面９ａ上で浮き上がったような状態になっている。その後、容器２から外に排出された粘着テープ３の引き出し部分３ａを被記載面９ａ上に貼り付ける。
【００２７】
このとき、粘着テープ３は、被記載面９ａに対するインクの付着力より強い粘着力をもっているので、粘着テープ３の引き出し部分３ａの粘着面にインクが転写される。そして、粘着テープ３の引き出し部分３ａを被記載面９ａから剥がすと、粘着テープ３は透明であるがゆえに、インクで書かれた文字などを透かして上から視認することができ、このように作成されたラベルは、粘着テープ３自体の粘着力を利用して文具や什器に貼ることができる。そして、文字などは、粘着テープ３の引き出し部分３ａの裏に記載されることになるので、擦れによって文字などの記載部分が消え難く、よって、記載部分の耐久性を高めることができる。さらに、粘着テープ３は容器内に収容されているので、ラベルの作成具１は、携帯性に優れ、粘着テープ３の汚れや傷付きを防止する。
【００２８】
また、ロール状に巻かれた粘着テープ３は、簡便なラベル作成具として適しており、短時間でラベルＢを作成することができ、効率良くラベルＢを作成することができる。
【００２９】
また、前述したラベルの作成具１は、容器２が薄型化されており、しかも、カッター部１０を採用することで、ハサミ無しでもラベルＢを製作することができ、簡便なラベル作成具として最適である。
【００３０】
本発明は、前述した実施形態に限定されず、本発明の要旨を逸脱しない範囲で種々の変形が可能である。
【００３１】
図４に示されるように、ラベルの作成具２０において、容器２１の前側には、軸線Ｌに対して直交して延在する被記載面９ａが設けられ、この被記載面９ａは、粘着テープ３の前方に位置している。そして、容器２１内において、被記載面９ａの下方には、イレーザー１５を収容するためのポケット部２２が設けられている。容器２１の前端には、ポケット部２２の開閉を可能にする蓋部２３が設けられている。なお、他の構成については、ラベルの作成具１と同等である。
【００３２】
図５に示されるように、ラベルの作成具３０において、容器３１の上部には、軸線Ｌに対して直交して延在する被記載面９ａが設けられ、この被記載面９ａは、粘着テープ３の上方に位置している。そして、容器３１の周壁３４には、スリット状のテープ排出口３２が形成され、被記載面９ａとテープ排出口３２との間には、被記載面９ａの端部に位置するカッター部１０が設けられている。
【００３３】
また、テープ排出口３２とカッター部１０との間には、半円柱状のテープ固定部３３が軸線Ｌ方向に延在して容器３１の外面から突出している。そして、容器３１の外面には、テープ固定部３３とカッター部１０との間において、指先の横からの差込みを可能にする凹部３５が形成されている。
【００３４】
このような構成を採用すると、ラベル作成後に、粘着テープ３の先頭がテープ固定部３３に貼り付くので、粘着テープ３の先頭が本体部３ｂに巻き戻されてしまって、利用者が、粘着テープ３の先頭を本体部３ｂから見つけ出す手間を無くすことができる。なお、他の構成については、ラベルの作成具１と同等である。
【００３５】
図示しないが、ラベルの作成具の他の例として、容器内には、所定長さの帯状の粘着シート（粘着部材）を積層するように配置させてもよい。この場合、各粘着シートの粘着面には剥離紙が貼られている。
【００３６】
また、粘着部材としての粘着テープ３は、片面又は両面に粘着部を有していてもよい。
【符号の説明】
【００３７】
１…ラベルの作成具  ２…容器  ３…粘着テープ（粘着部材）  ３ａ…引き出し部分  ３ｂ…本体部  ５…軸部  ６ａ，６ｂ…側壁  ７…周壁  ８…テープ排出口  ９…被記載部材  ９ａ…被記載面（非吸収面）  １０…カッター部  １２…ポケット部  １５…イレーザー  ２０…ラベルの作成具  ２１…容器  ２２…ポケット部  ３０…ラベルの作成具  ３１…容器  ３２…テープ排出口  ３３…テープ固定部  ３４…周壁  Ａ…筆記具  Ｂ…ラベル  Ｌ…軸線
【図１】
2014134734.tif 000003
【図２】
2014134734.tif 000004
【図３】
2014134734.tif 000005
【図４】
2014134734.tif 000006
【図５】
2014134734.tif 000007